(57)【要約】本発明の履き物の物品は、ソールと、その中に使用者の足を囲むシェルを形成する甲部とを含んでいる。そのシェルは、使用者の足首まわりに延在するカラーと、その甲部とソールとの間に延在する衝撃防止装置とを有している。その衝撃防止装置は、ソールからほぼカラーにおけるシェルへ反力を転換しするエネルギーストレージ部材を含み、それによって、そのエネルギーストレージ部材は、横力が履き物の物品へ印加されるとき、使用者の足首への逆転モーメント力を減少する。
2004528931.tif 000002
【特許請求の範囲】
【請求項１】
履き物の物品であって、
ソールと、
その中に使用者の足を囲むシェルを備える甲部であり、前記シェルが、使用者の足首まわりに延在するカラーを有する、甲部と、
前記甲部と前記ソールとの間に延在する衝撃防止装置であり、前記衝撃防止装置が、エネルギーストレージ部材を含み、前記エネルギーストレージ部材が、前記ソールからほぼ前記カラーにおける前記シェルへ反力を転換し、それによって、前記エネルギーストレージ部材は、横力が、前記履き物の物品に印加されるとき、前記使用者の足首への逆転モーメント力を削除し、かつ／又は減少する、衝撃防止装置と、
を備えている、履き物の物品。
【請求項２】
前記エネルギーストレージ部材が、第１のエネルギー部材を備え、前記物品が、第２のエネルギーストレージ部材を備え、前記第１のエネルギーストレージ部材が、前記第２のエネルギーストレージ部材と一続きである、請求項１に記載の履き物の物品。
【請求項３】
前記第２のエネルギーストレージ部材が圧縮性物体を備えている、請求項２に記載の履き物の物品。
【請求項４】
前記ストレージ部材が、フレキシブルな物体を備えている、請求項３に記載の履き物の物品。
【請求項５】
前記フレキシブルな物体が、リーフスプリングを備えている、請求項４に記載の履き物の物品。
【請求項６】
前記第１のエネルギーストレージ部材が、一対のスプリングを備え、前記スプリングの１つが、前記物品の内側側面に位置され、そして、前記スプリングのもう１つが、前記物品の外側側面に位置されている、請求項３に記載の履き物の物品。
【請求項７】
前記スプリングが、リーフスプリングを備えている、請求項６に記載の履き物の物品。
【請求項８】
前記スプリングが、プラスチックリーフスプリングを備えている、請求項６４に記載の履き物の物品。
【請求項９】
前記エネルギーストレージ部材が、第１のエネルギーストレージ部材を備え、前記物品が、第２のエネルギーストレージ部材を備え、前記第１のエネルギーストレージ部材が、第１のバネ定数を有し、そして、前記第２のエネルギーストレージ部材が第２のバネ定数を有し、前記第１のバネ定数が、前記第２のバネ定数よりも大きい、請求項１に記載の履き物の物品。
【請求項１０】
前記ソールが、少なくとも１つの拡大したエリアを含み、前記拡大したエリアが、前記ソールの中央長手方向軸から外方横方向に延在している、請求項１に記載の履き物の物品。
【請求項１１】
前記拡大したエリアが、前記物品の着用者の足首の重心を延通する横軸に沿って外方に延在する、請求項１０に記載の履き物の物品。
【請求項１２】
前記拡大したエリアに対する接線が、前記横軸を延通し、前記接線が、前記横軸に対して約４０度から８０度の範囲の角度を形成する、請求項１１に記載の履き物の物品。
【請求項１３】
前記拡大したエリアが、前記ソールのトウ領域から外方に延在する横軸に沿って外方に延在する、請求項１０に記載の履き物の物品。
【請求項１４】
前記拡大したエリアに対する接線が、前記横軸を延通し、前記接線が、前記横軸に対して約４０度から８０度の範囲の角度を形成する、請求項１３に記載の履き物の物品。
【請求項１５】
前記ソールが、第１の拡大したエリアと第２の拡大したエリアとを含み、前記第１の拡大したエリアが、ほぼ、前記物品の着用者の足首の重心を延通する横軸に沿って外方に延在し、そして、前記第２の拡大したエリアが、ほぼ、前記ソールのトウ領域を延通する横軸に沿って外方に延在する、請求項１０に記載の履き物の物品。
【請求項１６】
前記甲部が、外側アーチサポートと、内側アーチサポートとを含み、前記外側アーチサポートが、前記物品の横側面で前記カラーから前記ソールへ下方に延在し、そして、前記内側アーチサポートが、前記カラーから前記ソールへ下方に延在している、請求項１に記載の履き物の物品。
【請求項１７】
履き物の物品であって、
ソールであり、前記ソールが、トウ領域とヒール領域とを含み、前記ソールが、中央長手方向軸と、前記ヒール領域で前記長手方向軸にほぼ直交して延在する第１の横軸と、前記トウ領域で前記長手方向軸にほぼ直交して延在する第２の横軸とを有する、ソールと、
前記ソールに連結される甲部であり、前記甲部が、その中に使用者の足を囲むシェルを備える、甲部と、
を備え、
前記ソールが、少なくとも１つの拡大したエリアを含み、前記拡大したエリアが、前記第１の横軸及び前記第２の横軸の１つに沿って前記中央長手方向軸から外方横方向に延在し、前記ソールが、さらにまた、前記第１の横軸及び前記第２の横軸の前記１つを横切る前記拡大したエリアで接線を含み、そして、前記接線が、前記第１の横軸及び前記第２の横軸の前記１つに対して約４０°から８０°の範囲の角度を形成する、履き物の物品。
【請求項１８】
前記シェルが、使用者の足首まわりに延在するカラーを有している、請求項１６に記載の履き物の物品。
【請求項１９】
さらに、前記甲部と前記ソールとの間に延在する衝撃防止装置を備え、前記衝撃防止装置が、エネルギーストレージ部材を含み、前記エネルギーストレージ部材が、前記ソールからほぼ前記カラーにおける前記シェルへ反力を転換し、それによって、前記エネルギーストレージ部材は、望まれていない横力が、前記履き物の物品に印加されるとき、前記使用者の足首への逆転モーメント力を減少する、請求項１８に記載の履き物の物品。
【請求項２０】
前記拡大したエリアが、前記第１の横軸に沿って外方に延在している、請求項１７に記載の履き物の物品。
【請求項２１】
前記拡大したエリアが、前記第２の横軸に沿って外方に延在している、請求項１７に記載の履き物の物品。
【請求項２２】
前記拡大したエリアが、第１の拡大したエリアを備え、前記ソールが、第２の拡大したエリアを含み、前記第１の拡大したエリアが、前記第１の横軸に沿って外方に延在し、そして、前記第２の拡大したエリアが、前記第２の横軸に沿って外方に延在している、請求項１７に記載の履き物の物品。
【請求項２３】
履き物の物品であって、
ソールと、
前記ソールに連結される甲部であり、前記甲部が、その中に使用者の足を囲むシェルを備える、甲部と、
前記甲部塗前記ソールとの間に延在する衝撃防止装置であり、前記衝撃防止装置が、第１のエネルギーストレージ部材と第２のエネルギーストレージ部材とを含み、前記第１のエネルギーストレージ部材が、前記第２のエネルギーストレージ部材とシリーズであり、そして、前記第１のエネルギーストレージ部材が、前記物品の着用者のために第１の範囲モーションに対する第１の抵抗を供給し、そして、前記第２のエネルギーストレージ部材が、前記物品の前記着用者のために第２の範囲のモーションに対して第２の抵抗を供給する、衝撃防止装置と、
を備えている、履き物の物品。
【請求項２４】
前記第１の抵抗が、前記第２の抵抗よりも大きい、請求項２３に記載の履き物の物品。
【請求項２５】
前記第１のエネルギーストレージ部材が、約０°から１０°の角度を有するモーションの範囲に対して第１の抵抗を供給する、請求項２３に記載の履き物の物品。
【請求項２６】
前記第２のエネルギーストレージ部材が、約５°から１５°の角度を有するモーションに対して第２の抵抗を供給する、請求項２３に記載の履き物の物品。
【請求項２７】
前記シェルが、使用者の足首まわりに延在するカラーを有している、請求項２３に記載の履き物の物品。
【請求項２８】
前記第１のエネルギーストレージ部材が、前記甲部塗前記ソールとの間に延在し、前記第１のエネルギーストレージ部材が、前記ソールからほぼ前記カラーにおける前記シェルへ反力を転換し、それによって、前記エネルギーストレージ部材は、横力が、前記履き物の物品に印加されるとき、前記使用者の足首への逆転モーメント力を減少する、請求項２７に記載の履き物の物品。
【請求項２９】
前記ソールが、前記物品の安定性を増大するために少なくとも１つの拡大したエリアを含み、前記拡大したエリアが、前記ソールの中央長手方向軸から外方に、外側に、あるいは、内側に延在している、請求項２３に記載の履き物の物品。
【請求項３０】
前記ソールが、第１の横軸と第２の横軸とを含み、前記第１の横軸が、前記ヒール領域で前記長手方向軸にほぼ直交して延在し、そして、前記第２の横軸が、前記トウ領域で前記長手方向軸にほぼ直交して延在し、前記拡大したエリアが、前記第１の横軸及び前記第２の横軸の１つに沿って前記中央長手方向軸から外方に延在している、請求項２３に記載の履き物の物品。
【請求項３１】
前記拡大したエリアが、第１の拡大したエリアを備え、前記ソールが、第２の拡大したエリアを含み、前記第１の拡大したエリアが、前記第１の横軸に沿って外方に延在し、そして、前記第２の拡大したエリアが、前記第２の横軸に沿って外方に延在している、請求項３０に記載の履き物の物品。
【請求項３２】
履き物の物品であって、
ソールと、
その中に使用者の足を囲むシェルを備える甲部であり、前記シェルが、使用者の足首まわりに延在するカラーを有する、甲部と、
前記甲部と前記ソールとの間に延在する衝撃防止装置であり、前記衝撃防止装置が、前記甲部と前記ソールとの間に延在する一対のリーフスプリングを含み、前記リーフスプリングが、前記ソールからほぼ前記カラーにおける前記シェルへ反力を転換し、それによって、前記リーフスプリングは、前記使用者が前記履き物の物品ににたよるとき、前記使用者の足首へのモーメント力を減少し、そして、さらにまた、前記使用者の関節へのクッショニングを供給する、履き物の物品。
【請求項３３】
前記甲部が、内側側面と外側側面とを含み、前記スプリンの１つが、前記内側側面に位置され、そして、前記スプリングのもう１つが、前記外側側面に位置されている、請求項３２に記載の履き物の物品。
【請求項３４】
前記スプリングが、プラスチックリーフスプリングを備えている、請求項３２に記載の履き物の物品。
【請求項３５】
前記スプリングが、着脱自在に前記甲部と前記ソールとに取り付けられている、請求項３２に記載の履き物の物品。
【請求項３６】
前記甲部と前記ソールとの間にクッショニング部材を備えている、請求項３２に記載の履き物の物品。
【請求項３７】
前記クッショニング部材が、圧縮性物体を備えている、請求項３２に記載の履き物の物品。
【請求項３８】
前記ソールが、少なくとも１つの拡大したエリアを含み、前記拡大したエリアが、前記ソールの中央長手方向から外方横方向に延在している、請求項３２に記載の履き物の物品。
【発明の詳細な説明】
【技術分野】
【０００１】
本発明は、一般に、履き物、特に、増大した安定及びクッショニングを与える履き物に関する。
【背景技術】
【０００２】
膝及び足関節への衝撃力を減少するために、最近の靴のデザインは、足にクッションを与えるために広範囲にわたる様々な手段を組み込んでいる。たとえば、かなりのスポーツ用靴は、靴のソールに組み込まれるエアポケットを含んでいる。靴メーカー、特に、スポーツ用靴メーカーによって取り組まれている他の問題は、過剰回転による足首挫傷を減少すること含んでいる。一般に、足首は、特に、運動の活発な動きをしているときに、身体において最も損傷を受けやすい関節の１つである。足首の捻挫は、通常、足関節――足関節の内転と外転の両方の過剰な回転から生ずる。足首の損傷のおそれを減少する試みにおいて、スポーツ用靴メーカーは、足首の内側のモーションと外側のモーションとの両方を制限し、それによって、足首の内転及び外転の両方を限定する履き物を設計した。とはいえ、足首のモーションを制限することによって、靴メーカーは、足及び足首の自然なモーションを妨げることがよくあり、それにより、使用者の運動能力を減少することが多い。
【０００３】
結果として、着用者への、特に、着用者の足首への損傷のおそれを減少するが、能力が、ランニング、バスケットボールをする、テニスをする、ハイキング、ラケットボールをするなどの運動の活発な動き、あるいは、たとえば、仕事場で立つ、治療の運動、軽いウォーキングなどの運動でない動作であろうとなかろうと、着用者の能力を妨げないような履き物を提供する必要がある。
【発明の開示】
【発明が解決しようとする課題】
【０００４】
本発明は、着用者の関節への応力を減少し、そして、さらにまた、足首挫傷の可能性を減少する履き物を提供する。
【課題を解決するための手段】
【０００５】
本発明の１つの形態において、履き物の物品は、ソールと、甲部と、衝撃防止装置とを含んでいる。その甲部は、その中に使用者の足を囲むシェルと、使用者の足首まわりに延在するカラーとを含んでいる。衝撃防止装置は、甲部とソールとの間に延在し、そして、エネルギーストレージと、ソールからほぼカラーにおけるシェルへ反力を転換する転換部材とを含み、それによって、そのエネルギーストレージ部材が、そうでない場合、可能性として、足関節内の特定のロケーションに方向付けられる安定力へ逆転力を変換することによって使用者の足首への逆転モーメント力を減少する。
【０００６】
１つの態様において、その物品は、第１のエネルギーストレージ部材とシリーズである第２のエネルギーストレージ部材を含んでいる。たとえば、第２のエネルギーストレージ部材は、圧縮性物体を備えることができる。別の態様において、第１のエネルギーストレージ部材は、一対のスプリングを備え、そのスプリングの１つは、足首の内側側面に位置され、そして、もう１つのスプリングは、足首の外側側面に位置されている。たとえば、そのスプリングは、プラスチックリーフスプリングを含むリーフスプリングを備えている。
【０００７】
本発明の別の形態によれば、履き物の物品は、ソールと、そのソールに連結される甲部とを含んでいる。そのソールは、トウ領域と、ヒール領域と、中央長手方向軸とを備えている。さらに、そのソールは、そのヒール領域において長手方向軸にほぼ直交して延在する第１の横軸と、トウ領域において長手方向軸にほぼ直交して延在する第２の横軸とを含んでいる。ソールは、横軸の１つに沿って中央長手方向軸から外方横方向に延在する少なくとも１つの拡大したエリアを含んでいる。そのソールは、さらにまた、横軸を横切り、そして、その拡大エリアにおいて、その横軸に対して約４０度から８０度の範囲の角度を形成する接線を含んでいる。
【０００８】
別の態様において、シェルは、使用者の足首まわりに延在するカラーを有している。さらに、その物品は、甲部とソールとの間に延在する衝撃防止装置を含むことが好ましい。その衝撃防止装置は、ソールからほぼカラーにおけるシェルへ反力を転換するエネルギーストレージ部材を含み、それによって、そのエネルギーストレージ部材は、使用者が履き物の物品における可能な逆転力にたよるか、あるいは、受けるとき、使用者の足首へのモーメント力を減少し、かつ／又は中和する。
【０００９】
別の態様において、拡大したエリアは、第１の横軸に沿って外方に延在している。別の方法として、拡大したエリアは、第２の横軸に沿って外方に延在することができる。さらに、別の態様において、ソールは、２つの拡大したエリアを備え、そのエリアの１つは、第１の横軸に沿って外方に延在し、そして、もう１つは、第２の横軸に沿って外方に延在している。
【００１０】
本発明のさらに別の形態において、履き物の物品は、ソールと、そのソールに連結される甲部と、その甲部とソールとの間に延在する衝撃防止装置とを含んでいる。その衝撃防止装置は、第１のエネルギーストレージ部材と、第２のエネルギーストレージ部材とを含んでいる。第１のエネルギーストレージ部材は、第２のエネルギーストレージ部材とシリーズであり、そして、第１のエネルギー部材は、その物品の着用者のために第１の範囲のモーションに対する第１の抵抗を供給し、そして、第２のストレージ部材は、物品の着用者のために第２の範囲のモーションに対する第２の抵抗を供給する。
【００１１】
１つの態様において、第１の抵抗は、第２の抵抗より大きい。たとえば、第１のエネルギーストレージ部材は、約０°から１０°の角度を有するモーションの範囲に対して第１の抵抗を供給するのに対して、第２のエネルギーストレージ部材は、抵抗のオーバーラップを生成する約５°から１５°の角度を有するモーションに対して第２の抵抗を供給することが好ましい。
【００１２】
本発明の別の形態において、履き物の物品は、ソールと、使用者の足を囲むシェルを形成し、かつ、使用者の足首まわりに延在するカラーを含む甲部とを含んでいる。その物品は、さらにまた、甲部とソールとの間に延在する一対のリーフスプリングを含む衝撃防止装置を含んでいる。そのリーフスプリングは、ソールからほぼカラーにおけるシェルへ反力を転換し、それによって、そのリーフスプリングは、使用者が履き物の物品における可能な逆転力にたよるか、あるいは、受けるとき、使用者の足首へのモーメント力を減少し、そして、さらにまた、使用者の関節へのクッショニングと安定性とを供給する。
【００１３】
１つの態様において、そのスプリングの１つは、甲部の内側側面に位置されるのに対して、そのスプリングのもう１つは、甲部の外側側面に位置されている。
【００１４】
さらに別の態様において、そのスプリングは、プラスチックリーフスプリング、あるいは、複合材料リーフスプリングを備えている。任意に、そのスプリングは、着脱自在に甲部とソールとに取り付けられ、それによって、そのスプリングは、調節、あるいは、置き換えのため着脱自在である。
【００１５】
さらに別の態様において、その物品は、さらに、甲部とソールとの間に配置されるクッショニング部材を含んでいる。そのクッショニング部材は、たとえば、液体、あるいは、ガス充填袋及び／又は圧縮性コンテナなどの圧縮性物体を備えている。
【００１６】
本発明の前記その他の目的、利点、目的及び特徴は、図面を参照とする以下の説明を検討するといっそう明らかになるであろう。
【発明を実施するための最良の形態】
【００１７】
図１を参照すると、数字１０は、全体として、本発明の靴、あるいは、履き物の物品を示している。例示された実施例において、本発明の靴は、スポーツ用履き物を含んでいるとはいえ、本発明の靴の実施例の様々な態様が、そのうえ、治療用履き物、あるいは、日常使用の履き物に組み込まれることができるということは理解されるべきである。靴１０は、ソール１２と、着用者の足を囲む甲部１４とを含んでいる。甲部１４は、使用者の足の形状に最も精密に順応させるために、立体的に作られ、そして、形づくられることが好ましいシェルを形成する。こういうふうに、甲部１４は、使用者の足から靴の衝撃防止装置に力を転換する、このことは、以下でいっそう十分に説明されるであろう。甲部１４によって形成されるシェルは、ファブリック、レザー、スエード、上記の１つ以上の組み合わせなどの軽量の従来の材料、あるいは、テキスタイルから作られることが好ましい。甲部１４は、任意に、ネオプレンフォーム、あるいは、オープンセルフォームなどのクッショニング材料を含み、そのクッショニング材料は、甲部１４によって足からシェルに力を均等に分配するように位置決めされている。ソール１２は、ゴムなどのフレキシブルな衝撃吸収材料から形成されている。
【００１８】
例示された実施例において、甲部１４は、足関節を取り巻くカラー１６を含んでいる。カラー１６は、足関節の自然なＤｏｒｓｉ（背面）の動き、あるいは、Ｆｌｅｘｉｏｎ（屈曲）の動きを妨げることなく、できるかぎり足関節の上まで高く位置されることが好ましい。足関節の所望の動きを妨げないように、カラー１６は、ストラップ１６ａによってＴａｌｕｓ  ｂｏｎｅ（距骨）（図５を参照）に位置決めされ、そして、しっかりと保持されている。カラー１６は、外側Ｍａｌｌｅｏｌｏｕｓ  ｂｏｎｅ（踝骨）、あるいは、内側Ｍａｌｌｅｏｌｏｕｓ  ｂｏｎｅ（踝骨）に侵略しないことが好ましい。とはいえ、図５における仮想線によって示されるように、カラー１６は、「ハイトップ」靴を形成するために、Ｆｉｂｕｌａ（腓骨）を超えて上に延びることができ、そして、任意に、Ｆｉｂｕｌａ（腓骨）の部分で圧力ポイントを生成するのを回避するために、Ｆｉｂｕｌａ（腓骨）の端部まわりの足関節で開口１６’を含むことができる。これらのロケーションのいずれかにカラー１６を位置決めすることによって、横方向安定力ベクトルを直接足首の重心に供給することが可能であり、従って、可能性のある逆転モーメントと可能性のある足関節捻挫を回避する。前に述べられているように、足首の捻挫は、足関節――足関節の内転と外転の両方の過剰回転として説明されることができる。外転は、足の内側の方に向う足首の回転である。内転は、足の外側の方に向う足首の回転である。甲部１４は、さらに、カラー１６の２つの端部を互いに連結することによって、足首の３６０°の取り巻きを達成する締めひも及び結びひも補強エリア１８を含んでいる。補強エリア１８は、別の方法として、カラー１６の２つの端部を互いに連結するために、Ｖｅｌｃｒｏ?ストラップなどを含むことができる。これにより、カラーの周辺まわりの、そして、足関節までの力の間断のない転換を可能とする。そのうえ、補強エリア１８は、使用者の不快感、材料の疲れ及び破損へと結果として導くことになる靴の材料内に過度の応力エリアを生成することなく、使用者の足と靴との間に内力の残部を放散し、そして、均一に分配する。
【００１９】
図５を参照すると、甲部１４は、カラー１６の内側部分から延在する足の内側（インナ）側面に位置される内側長手方向アーチサポート２０を含んでいる。カラー１６から、内側長手方向アーチサポート２０は、Ｃａｌｃａｎｅｕｓ  ｂｏｎｅ（腫骨）及びＴａｌｕｓ  ｂｏｎｅ（距骨）の内側側面に沿って走るように形成されている。さらに、アーチサポート２０は、下方に延在し、そして、内側長手方向アーチを組成する内側中足骨及び関連した骨に沿って下方に湾曲し、さらにまた、折り返し、そして、靴１０のピボット軸２２で下方補強ソールに一体化するストラット、あるいは、安定バー２５ａを含んでいる。アーチサポート２０は、起こりうる外転タイプの足首捻挫の動きを防止するために、足の内側側面に横サポートを供給する。さらに、アーチサポート２０は、外側長手方向アーチサポート（以下で説明）が足関節に印加する最小量の力に中和する。
【００２０】
図１を再度参照すると、甲部１４は、さらに、外側長手方向アーチサポート２４を含んでいる。外側長手方向アーチサポート２４は、足の外側（アウタ）側面のカラー１６のエッジで始まって、そして、Ｃａｌｃａｎｅｕｓ  ｂｏｎｅ（腫骨）と、Ｔａｌｕｓ  ｂｏｎｅ（距骨）と、Ｃｕｂｏｉｄ  ｂｏｎｅ（立方骨）とを横方向でサポートするために、下方に移動し、そして、その後、Ｃｕｂｏｉｄ  ｂｏｎｅ（立方骨）及びＣａｌｃａｎｅｕｓ  ｂｏｎｅ（腫骨）の下側に下方に湾曲するストラット、あるいは、安定バー２５ｂを含み、従って、外側長手方向アーチに対してフィットしたサポートを生成する。外側長手方向アーチサポートは、第５のＭｅｔａｔａｒｓａｌ  ｂｏｎｅ／ｊｏｉｎｔ（中足骨／関節）及びＣｕｂｏｉｄ  ｂｏｎｅ（立方骨／関節）と接触する直前に甲部１４の底に折り返す。これにより、足の第５のＭｅｔａｔａｒｓａｌ（中足骨）にまで不愉快な圧力ポイントを生成することなく、外側長手方向アーチサポートが、横方向におけるＣｕｂｏｉｄ  ｂｏｎｅ（立方骨）、Ｃａｌｃａｎｅｕｓ  ｂｏｎｅ（腫骨）及びＴａｌｕｓ  ｂｏｎｅ（距骨）に心地よい今のところ柔軟性のないサポートを供給することを可能とする。
【００２１】
反転安定バー２５ａ、２５ｂは、少なくとも２つの目的にかなう。第１に、内転安定バー２５ｂは、内転スプリング（２８）（以下でより詳細に説明される）と連結し、一貫した流体横サポート力を横カラーの方に戻して、それゆえ、足関節のＣｕｂｏｉｄ  ｂｏｎｅ（立方骨）、Ｔａｌｕｓ  ｂｏｎｅ（距骨）及びＣａｌｃａｎｅｕｓ  ｂｏｎｅ（腫骨）の横側面に供給する。反転安定バー２５ａ、２５ｂの第２の目的は、足首捻挫の動きの１つの特定のタイプの防止にある。内転捻挫及び外転捻挫の典型的な足首損傷の動きとは違って、前方回転反転（ＦＲＩ）捻挫は、Ｄｏｒｓｉ／Ｐｌａｎｔａｒ  Ｆｌｅｘｉｏｎ  ｐｌａｎｅ（背面／足底屈面）に対して９０°の角度で、あるいは、９０°の角度近くで生じない。ＦＲＩ捻挫は、第５のＰｈａｌａｎｘ  ｂｏｎｅ（指節骨）及びＭｅｔａｔａｒｓａｌ  ｂｏｎｅ（中足骨）に最も近くに位置される靴のアウタ横エッジが、地面に‘捕らえられ’、そして、力のベクトルを足関節の重心の方に向って靴の方に送り戻すときに生ずる。初期の力に等しい、及び、対向する反動力は、Ｔｉｂｉａ  ｂｏｎｅ（脛骨）及びＦｉｂｕｌａ（腓骨）の内側Ｍａｌｌｅｏｌｏｕｓ  ｂｏｎｅ（踝骨）及び内側Ｍａｌｌｅｏｌｏｕｓ  ｂｏｎｅ（踝骨）それぞれによって足関節の重心に供給される。とはいえ、足関節の重心（及び反力の起源）は、第５のＰｈａｌａｎｘ  ｂｏｎｅ（指節骨）近くの初期の力のロケーションの上に、たとえば、およそ４から５インチ上に位置されるので、逆転モーメントは、それらを分離する、たとえば、４から５インチの鉛直の間隔を有して、２つの等しい、そして、対向する力の結合によって生成される。この逆転モーメントのゆえに、足関節は、ヒンジとして第５のＰｈａｌａｎｘ  ｂｏｎｅ（指節骨）における靴のエッジを使用して、そして、このエッジの上及び全体で回転することになる。その結果、Ｐｅｒｏｎｅｕｓ  Ｔｅｒｔｉｕｓ  ｍｕｓｃｌｅ（腓骨筋第３の筋）に関連する腱を引っ張る。ソール１２に関してより詳細に説明されているように、第５のＰｈａｌａｎｘ  ｊｏｉｎｔ（指節関節）及びＭｅｔａｔａｒｓａｌ  ｊｏｉｎｔ（中足関節）に最も近くに（及び、より後方に）位置されるソールの部分を横方向に延在することによって、中和モーメントは、生成される。靴の典型的なエッジから離れて外に靴のこの部分を横方向に延在することによって、靴のエッジは、最初は、足のエッジから離れてある間隔をおいて鉛直接地力と接触する（それは、足関節の方に戻るすべての内足力のピボットポイントとしての役割を果たす）。ここでは、足首捻挫中和モーメントの生成は、接地により供給される力を利用し、そして、鉛直接地力が足のエッジのピボットポイント（第５のＰｈａｌａｎｘ  ａｒｅａ（指節エリア））から離れて生ずる間隔で、それを増すことによって生成される。このモーメントは、内転安定バーと地面と接触するソールとの間の剛性なジョイント接続を介してフロント横カラーまで転換される。この静止モーメント反作用は、フロント横カラーに、剛性な内転安定バーの上へ転換される――このモーメントは、Ｔａｌｕｓ  ｂｏｎｅ／ｊｏｉｎｔ  ａｒｅａ（距骨／関節エリア）に戻る安定力として使用される。反転安定バー２５ａ、２５ｂは、カラー及び足首エリアまでモーメントを転換し、それは、足関節に戻る所望の安定力の生成によってそのモーメントを中和する。反転安定バーにおけるモーメントは、ピボットポイント（足の実際のエッジ）から離れた‘間隔’で、初期鉛直接地力の関係によって生成される。従って、反転安定バー２５ａ、２５ｂにおける中和モーメントは、いっぱいに広げた足形の使用と組み合わされるとき、最大に達せられる。
【００２２】
図１、図３、図４及び図５に最もよく見られるように、靴１０は、内転サポート２８と外転サポート３０とを含んでいる。内転サポート２８及び外転サポート３０は、カラー１６に隣接する、あるいは、カラー１６における靴の頂部で甲部１４にスプリングソール１２のエッジまわりに起こされる初期反力を転換するように構成される内転スプリンツ及び外転スプリングであることが好ましい。内転スプリング２８及び外転スプリング３０は、甲部１４の外側（アウタ）後部上方コーナー及び内側（インナ）後部上方コーナーで甲部１４に接続されることが好ましい。その結果、甲部１４は、２つのサポートによって吊られる。スプリング２８、３０は、プラスチックなどの軽量材料で作られることが好ましい。適切なプラスチックとして、鉱物強化プラスチック、炭素繊維強化プラスチックなどの強化プラスチック、グラファイト強化プラスチック、あるいは、複合グラファイト強化プラスチックを含む複合繊維強化プラスチック樹脂、あるいは、鉱物強化プラスチック樹脂を含んでいる。さらに、スプリング２８、３０は、ソール１２と共に形成されることができ、そして、たとえば、射出成形によって、形成されることができる。任意に、内転スプリング２８及び外転スプリング３０は、たとえば、固定具によって、甲部１４に着脱自在に取り付けられ、そのために、そのスプリングは、着脱自在であり、使用者が、そのスプリングを他の類似のスプリング、あるいは、異なる特性を有するスプリングと置き換えることを可能とする。さらに、サポート２８、３０は、任意のバルブを有する、ショックアブソーバーなどの圧縮ガスチャンバを備え、そのチャンバ内の圧力を調節し、そして、可変ガス圧力フレキシビリティを与える。こういうふうに、使用者は、異なるクッショニング及びサポートを設けるようにかれらの靴を特別の注文応じて作りることができる。それゆえ、靴１０は、多くの使用者のために適応されることができ、そして、なにか１つのスポーツ及び／又は活動に限られないと同時に、所望の量の衝撃抵抗及び／又は安定性を供給する。
【００２３】
例示された実施例において、スプリング２８、３０は、ソール１２にまで延在し、そして、ソール１２と一体部分を形成する。上記に述べられ、そして、図２８及び図２９に関していっそう十分に説明されているように、靴は、スプリングがいっそう自由に収縮することを可能とする移動可能な接続を有するスプリングを組み込むことができる。
【００２４】
スプリング２８、３０は、内側部分、あるいは、外側部分のいずれかから見たとき、母趾球とほぼ一直線に位置される靴１０のピボット軸２２まわりにわずかな回転を生成する。この回転により、カラーの後部での上方サポート接続が、靴の回転の範囲全体を通してピボット軸から離れて全く同一の間隔に留まることを可能とする。靴１０の回転、あるいは、屈曲は、使用者の足の自然な屈曲特性と一致する。
【００２５】
好ましい形態において、内転スプリング２８及びが移転スプリング３０は、靴の安定性を増大するリーフタイプスプリングを形成するプレテンション部材である。増大された安定性は、鉛直抵抗力及び横方向抵抗の両方を供給する２つのスプリング２８、３０によって生成され、その力と抵抗の両方が、足関節の方に向って戻る横力を供給し、そして、互いに対立する。そのうえ、スプリング２８、３０は、さらに、横方向におけるサポートを供給する役割を果たす中和横力を生成する。前に述べられているように、スプリング２８、３０は、カラー１６に隣接するか、あるいは、カラー１６における甲部１４の外側及び内側後部上方コーナーの甲部１４に接続されている。その結果、甲部１４は、スプリング２８、３０によって吊られる。スプリング２８、３０を甲部１４の頂部に接続することによって、スプリング２８、３０は、ソール１２で生ずる初期エッジ力を直接カラー１６に――換言すれば、直接足関節の重心の高さにまで転換する。足関節重心の高さまで反力を転換することによって、靴１０は、横力が、足の踵の底を「バイパスし」、そして、Ｔｉｂｉａ  ｂｏｎｅ（脛骨）及びＦｉｂｕｌａ  ｂｏｎｅ（腓骨）の底に直接転換されることを可能とすることによって、足関節の不安定性を効果的に削除する。さらに、カラー１６において、あるいは、カラー１６近くにスプリング２８、３０を接続することによって、スプリング両側が、クッショニングプロセスを介する多量の鉛直の動きに適応し、さらにまた、クッショニング領域全体を通してサポートを供給することになる。さらに、プレテンションプリングを設けることによって、スプリング２８、３０は、初期たわみの間に応力対ひずみの比較的高い割合を供給することが可能であり、それは、その後、次第に消滅するにつれ、さらに、いっそう大きいたわみを可能とする。さらに、スプリング部材２８、３０は、必要とされる横方向安定性反力を特定の程度まで生成し、そういうわけで、早期コンポーネント摩耗及び破損へと導くことがある関連したジョイント接続、材料に過剰に応力を加えることなく、これらの内力を維持することが多い。上記に述べられているように、スプリング２８、３０は、強化プラスチック、あるいは、複合プラスチックを含むプラスチックで作られることができる。そのうえ、別の方法として、スプリング２８、３０は、構造用コンポーネントを靴１２の完成した外部摩耗表面と一体化するように、射出成形によってなど靴１０のシェルに埋め込まれることができる。
【００２６】
図３及び図４を参照すると、靴１０は、さらにまた、クッショニング要素３２を含んでいる。例示された実施例において、クッショニング要素３２は、ガス、好ましくは、圧縮ガスが充填されているガス充填コンテナ、あるいは、液体充填袋などのフレキシブルなコンテナを備えている。たとえば、そのコンテナは、ガス充填カートリッジを含み、ネオプレンフォーム、圧縮ガス充填コンテナを備えることができる。スプリング２８、３０とは違って、クッショニング要素３２は、靴が偏向されるとき、そして、いっそう大きい荷重が靴１０に印加されるとき、抵抗が増大する。それゆえ、初期に、クッショニング要素３２は、多くの抵抗なく偏向するか、あるいは、圧縮するかである（図５Ａを参照）。図５Ａを参照すると、スプリング２８、３０は、任意に、クッショニング要素３２の剛性、あるいは、抵抗よりも大きいモーションの第１の範囲を超える剛性、あるいは、抵抗を任意に供給する。たとえば、スプリング２８、３０は、たとえば、約０°から５°のモーションの第１の範囲αを超える大部分の抵抗を供給するのに対して、クッショニング要素３２は、たとえば、約１０°から１５°のモーションの最後の範囲αを超える大部分の抵抗を供給し、スプリング２８、３０及びクッショニング要素３２の両方は、たとえば、約５°から１０°のモーションの中間の第３の範囲を超える抵抗のオーバーラップする範囲を供給する。クッショニング要素３２における抵抗が、靴１０の衝撃防止装置における機能的にすぐれた衝撃抵抗要素となるに十分に増大することは、スプリング２８、３０が、かなり偏向するまでない。たとえば、スプリング２８、３０及びクッション要素３２の相対的な剛性に左右されて、クッショニング要素３２は、スプリング２８、３０が、それらのたわみ範囲の１／４から１／２に偏向されるまで、機能的にすぐれたクッショニング機能を供給することができない。
【００２７】
さらに、クッショニング要素３２は、使用者自身の運動エネルギーが位置エネルギーの形をとってクッショニング要素３２に一時的に格納され、次に、ランニングステップモーションにおけるなどの前方に進むとき使用者の踵及び足に戻されることを可能とするエネルギーストレージ及びリターンシステムとしての役割を果たす。さらに、クッショニング要素３２は、使用者が、ジョギング、あるいは、ランニングなどの高い衝撃の活発な動きをするとき、膝関節にひき起こされる衝撃ショックを減少する。ジョギング、ランニング、及び、時には、ウォーキングに関連するその高い衝撃の繰返し力は、膝関節及び腱損傷をひき起こすことが多く、それらは、本発明の靴の使用で、かなり減少されること可能である。
【００２８】
任意に、クッショニング要素３２は、靴１０に着脱自在に取り付けられることができ、そのために、それは、靴１０を特別の注文に応じて作る使用者によって置き換えられることが可能である。別の方法として、及び、加えて、クッショニング要素３２は、クッショニング要素３２が、増大された、あるいは、減少された抵抗を呈することが可能なように構成されることができる。たとえば、クッショニング要素３２は、コンテナのチャンバ内の圧力を増大するためにふくらませることができたり、あるいは、クッショニング要素３２の抵抗を減少するためにコンテナ内の加圧流体、あるいな、加圧ガスを放出するように収縮されることができる。たとえば、ウォーキングなどのある動きは、ランニング、ジョギングなどの他の活発な動きよりクッショニングの必要は少ない。さらに、クッショニング要素３２は、最良に個々の使用者の好み及び選択に合うサスペンション感触に靴を特別の注文に応じて作るために、異なる身体のタイプ及び体重に適応するように交換、あるいは、構成されることができる。その結果、本発明の衝撃防止装置は、使用者の特定の必要性に対する抵抗を特別の注文に応じて作るだけでなく、靴の「スプリング割合」を変える及び／又は最適化するように変更されることができる。
【００２９】
クッショニング要素３２における圧力は、外部ポンプ、あるいは、内部ポンプの使用によって調節されることができる。たとえば、クッショニング要素３２は、容易にアクセス可能なロケーションに位置決めされることができる嵌め込みエアポンプを含むことができる。たとえば、そのようなエアポンプは、クッショニング要素における圧力がその所望のレベルに達するまで、使用者がかれらの指を使用して抑制することが可能な小さいフレキシブルな円筒形、あるいは、半球体を含むことが可能である。この適用において、サスペンション内の圧力を減少するために、手動で操作されることが可能な簡単な圧力放出バルブを含むことが望ましい。そのうえ、使用者がクッショニング要素を過剰にふくらませることを防止する任意の最大圧力放出バルブが設けられることができる。内転スプリングと外転スプリング及び／又はクッショニング要素３２の調節は、靴１０のサスペンションを変更する、それゆえ、特別の注文に応じて作るのに使用されることができるということは理解されるべきである。
【００３０】
改良された衝撃防止装置を提供することのほかに、靴１０は、いぱいに広げた足形を有するソール１２を含んでいる。以下でいっそう十分に説明されるように、従来の靴のソールを越えるソール１２の足形を増大することによって、靴１０を履くとき足関節の重力の中心は低下され、さらにまた、靴１０の回復角度は、増大される（図６）。図２を参照すると、ソール１２は、拡大された外側部分４０と、着用者の踵に隣接する拡大された内側部分４２とを含んでいる。例示された実施例において、その外側部分及び内側部分の両方は、ソールに対する接線に対し４０°から８０°の範囲の角度を形成するために足首の重心を延通する線に沿って外方に延在している。図２に示されるようにソール１２の幅を拡大することによって、ソール１２は、自然に生ずる足関節の方向付け補正を生成するのを促進する。従来の靴において、使用者は、一般に、使用者の足首を傷つけることなく、靴の外側側面エッジの方に彼の足首、あるいは、彼女の足首を回転することが可能である。とはいえ、靴のエッジでのなおいっそうの回転は、足首靭帯挫傷及び損傷をひき起こす。ソール１２のエッジから使用者の足首の重心に生成される角度が、接地平面、あるいは、着地に対する関係において足関節の角度よりも大きいとき、靴１０は、自動的にその方向付けを補正する。これは、使用者の足関節の重心を通って転換される初期下方ベクトル力（ｆｉ）と水平平面の反力（ｆｒ）との相互作用によりなし遂げられる。靴のソールのより幅広いスペーシングは、足関節の重心の横側面に対して常に反力（ｆｒ）を保持し、従って、足関節／靴関係との間の補正モーメント（ｍｃ）を自動的に生成する。その意図は、使用者の重さの大部分が、印加され、そして、足関節を通って戻って水平接地平面に転換される前に、初期使用者の重さが、足及び足関節の方向付け及び位置決めを補正することを可能とすることである。このように使用者の全体重が印加される前に、適切に足関節を位置決めするために靴の能力を介して足首損傷を防止する。現在まで、すべての従来の解決法は、すべての以前の靴が、さらに、使用者に、初期ベクトル力（ｆｉ）が足関節重心の内側側面に位置される状態を生成させることを可能とし、それゆえ、足関節が横方向に回転し、そして、足首捻挫損傷を生成することを余儀なくさせる逆転モーメント（ｍo）を生成するとするという事実のために、足関節の過剰回転及び関連した捻挫損傷のつらさをいっそう多く最小するために、足関節を補強し、そして、固定することによって、足首の過剰回転を防止する、あるいは、いっそう多く最小にするように試みられてきた（図８）。
【００３１】
従来技術の靴と対比すると、ソール１２は、接地平面への靴の反力のために、足首へのモーメントを最小にする。その結果、ソール１２は、彼の足首、あるいは、彼女の足首に過剰応力を加える使用者の機会をかなり減少するために、靴１０の可能な回復の角度を増大する。そのうえ、ソール１２は、内転の動き及び外転の動きの両方に対する回復の角度を増大し、従って、いずれの方向からの足首内の逆転の動きを生成する可能性を最小にする。このように、靴１０は、使用者の足及び足首のいっそう多くの安定サポートを供給し、さらにまた、従来の周知の靴よりもいっそう多くの衝撃抵抗力がある。しかも、靴１０は、使用者の足関節の動きを妨げないようにし、そして、制限のないＰｌａｎｔａｒ  ａｎｄ  Ｄｏｒｓｉ  Ｆｌｅｘｉｏｎ  ｍｏｖｅｍｅｎｔ（足底及び背屈）の動きを可能とする。
【００３２】
再度図５を参照すると、甲部１４は、ソール１２に接続される前方部分１４ａを含んでいる。さらに、甲部１４は、ソール１２から上方へ延在し、さらにまた、甲部１４の後方部分１４ｂ及びソール１２が、それらの間にキャビティ５０を画定するようにソール１２の上のスプリング２８、３０によって吊られる後方部分１４ｂを含んでいる。さらに、ソール１２は、上方に延在するウェブ１２ａと、ソール１２及び後部１４の後方部分１４ｂを接続し、それによって、部分的にキャビティ５０を取り囲むフランジ１２ｂとを含んでいる。ウェブ１２ａ及びフランジ１２ｂの前方のキャビティ５０に位置決めされるのは、クッショニング部材３２である。こういうふうに、ウェブ１２ａ及びフランジ１２ｂは、キャビティ５０内にクッショニング要素３２を捕獲する。そのうえ、ウェブ１２ａ及びウェブ１２ｂは、ソール１２を構成するゴム材料などのフレキシブルな材料から形成され、そのために、甲部１４の後方部分１４ｂが、図３に示されるように下方に移動するとき、フランジ１２ｂ及びウェブ１２ａは、圧縮し、そして、偏向し、足からの力が、クッショニング要素３２に転換されることを可能とする。とはいえ、上記に述べられるように、足から靴の衝撃防止装置を通る力の初期のすぐれた転換は、スプリング２８、３０を介して通される。
【００３３】
図６を参照すると、図６は、ほぼフラットで、水平な表面への逆転横力を印加、あるいは、行使する使用者から生成される可能性のある「不安定」横力が、履き物１０の物品の安定性内に含有される方法を例示している。図６に最もよく見られるように、ソール１２は、靴１０の着用者の足首に対して外方に接地から反力（ｆｒ）を移動する。上記に述べられるように、靴１０の着用者の足首から外方に初期力（ｆｉ）を移動することによって、靴１０の回復の角度は、従来の靴を越えて増大される。図７を参照すると、図７は、逆転することから足関節を安定にすることと、さらに、水平平面でのその意図された水平方向付けに戻る靴１０の適切な回転を開始することとの両方のために、可能性のある不安定初期力（ｆｉ）が、印加された反力（ｆｒ）によって中和され、そして、安定バー２５ａ、２５ｂによって足関節まで転換される方法を例示している。
【００３４】
図９を標準の靴のデザインＡ１、Ａ２の回復の角度は、一般に、約１５°である。とはいえ、いっぱいに広げたソールでは、本発明の靴１０の回復の角度は、たとえば、２０°から３０°の範囲に、より一般に、３０°から４０°の範囲に、もっとも一般に、４５°の範囲にかなり増大される。図８を参照として、従来の靴を履く人が、たとえば、図８に示されるように左に寄り掛かるとき、足首（図８のＡ２に標識付けられた）からの反力は、靴（Ｆｉに標識付けられた）への反力からオフセットされ；従って、モーメントは、足関節内に生成される。とはいえ、逆転モーメントは、きわだって十分な大きさの力が、靴の固有の安定性特性を圧倒するのにきわだって十分である角度で足関節に配置されるときに生成されるだけである．それゆえ、靴のための増大された回復角度に関して、靴１０を履く使用者の足関節内に逆転モーメントを生成する可能性は、画期的に減少される。本発明の靴と衝撃防止装置との組み合わされた効果は、補正、大部分ではない場合、足関節に伴うありそうなシナリオ及び着地、ツイスト、方向転換及び／又は回転するときに伴われる固有の力を供給することである。
【００３５】
足関節への取り戻せない力は、力の角度が靴の回復角度を満たすか、あるいは、超えるときに起こる。これが生ずるとき、靴に印加される力の拡大は、力が起こった足関節の反対側の足関節を横切り；従って、足関節内に逆転モーメントを生成する。この逆転モーメントは、足関節の捻挫へと一般に導く内転の動き、あるいは、いっそう多く起こりそうな長い転の動きのいずれかとして足関節の回転に結果としてなる。図６に見られるように、より幅の広いソール（１２）を生成することによって、そのソールは、靴のソールに印加されるすべての力が靴と足関節との関係に対する自然な回復の角度未満の角度である、できるかぎり実用的な状態を供給するように靴と足関節との関係内にきわだって十分な角度を生成する。そのうえ、すべての力であるそれは、靴を履く人が、立ちあがり、そして、抵抗力を印加するために足首を使用しようと試みるのではなく、倒れそうなときに力の回復の角度より大きい角度で靴に印加され；従って、効果的に、あらゆる可能性のある足首捻挫及び損傷を削除する。回復の角度は、異なるスポーツにより足関節に押し付けることが多い力のタイプの動力、力の大きさ及び足首の力によって大いに変更し、そして、もたらされるので、ソール１２の足形は、変更されることが可能である。ランニング、ジョギング、あるいは。ウォーキングなどの活発な動きは、これらの活発な動きが、足関節への横方向の動き、あるいは、力のレベルを高く要求しないことが多いという事実のために、上記に述べられる４５°のような高い回復の角度を必要としないことがおおい。
【００３６】
たとえば、図１３Ａを参照すると、ソール１１２は、足のＰｈａｌａｎｇｅｓ（指骨）領域の足形にほぼ従う前方部分１１２ａと、およそ第５のＭｅｔａｔａｒｓａｌ（中足骨）及びＰｒｏｘｉｍａｌ  Ｐｈａｌａｎｘ（基節骨）で横外側に延在する局部的に制限された増大エリア、あるいは、いっぱいに広げた部分１１２ｂとを含んでいる。いっぱいに広げた部分１１２ｂは、第５のＭｅｔａｔａｒｓａｌ（中足骨）及びＰｒｏｘｉｍａｌ  Ｐｈａｌａｎｘ（基節骨）の方向に足首の重心からの方向に可能性のある前方回転捻挫に対する最適な戻り安定力を供給する。
【００３７】
図１３Ｂを参照すると、本発明のソール１１２’の別の実施例が例示されている。ソール１１２’は、前方部分１１２ａ’と後方部分、あるいは、後部部分１１２ｃ’とを含んでいる。前方部分１１２ａ’は、ソール１１２に類似する、第５のＭｅｔａｔａｒｓａｌ（中足骨）及びＰｒｏｘｉｍａｌ  Ｐｈａｌａｎｘ（基節骨）において、あるいは、およそ近くで靴の着用者のトウ領域を延通する横軸１１５ａの後方に拡大されたエリア、あるいは横広がり１１２ｂ’を含んでいる。さらに、後部部分１１２ｃ’は、足関節の重心を横方向へ延通している線１１５ｂに沿ってソール１１２の外側側面及び内側側面の両方で広げられている。
【００３８】
図５Ｂ〜図Ｄを参照すると、本発明の靴の安定バーは、調節可能な安定バー２５’、あるいは、１２５’を備えることができる。図５Ｂ及び図５Ｃを参照すると、調節可能な安定バー２５’は、ねじ付きスリーブ２６’と一本のピン２７’とを含んでいる。ピン２７’は、スリーブ２６’の方へ延在するねじ付きシャフトとたとえば、カラーにおいて靴に取り付けるヘッドとを含んでいる。スリーブ２６’は、たとえば、アバットメント２９’において靴のソールに回転可能に取り付けられるか、あるいは、埋め込まれているアンカーフランジ２８’を含んでいる。こういうふうに、スリーブ２６’が回転されるとき、ピン２７’は、安定バーの長さを調節するために、スリーブ２６’へ引っ込めるか、あるいは、スリーブ２６’から外に移動するかのいずれかである。
【００３９】
図５Ｃを参照すると、安定バー１２５’は、ねじ付きスリーブ１２６’と一対のねじ付きアタッチメントピン、あるいは、スクリュー１２７’１２８’とを含んでいる。スリーブ１２６’及びピン１２７’、１２８’は、プラスチック、あるいは、メタルでよい。ピン１２７’は、ソールに取り付けられるか、あるいは、係留されているのに対して、ピン１２８’は、カラーに取り付けられるか、あるいは、係留されるかである。さらに、ピン１２７’、１２８’は、スリーブ１２６’の方に延在する逆のねじ付きシャフトを含み、そのために、スリーブ１２６’が、ピン１２７’、１２８’まわりに回転されるとき、ピン１２７’、１２８’は、スリーブ１２６’の方に同時に引っ込むか、あるいは、スリーブ１２６’から外方に移動するかのいずれかである。こうゆふうに、靴の着用者は、安定バーの長さを調節するために簡単にスリーブ１２６’を回転することができる。安定バーを長くする／短くするための能力は、使用者が、安定バーがカラーに、そして、足関節に行使する圧力の量を上げるか、あるいは、下げることによって、靴のフィット感を特別の注文に応じて作ることを可能とする。安定バーは、長くするために１つの方向に、そして、短くするために反対方向に、中央セクションを回転して手動で長さが調節される。
【００４０】
図５Ｅを参照すると、本発明の履き物１０’は、スプリング２８、３０に類似するが、逆カーブ方向にカラー１６’から、あるいは、カラー１６’近くからソール１２’へ下方に延在する逆スプリング２８’、３０ａ’を組みこむことができる。靴１０は、同様に、カラー１６’からソール１２’に延在する内転安定バー２０’と外転安定バー２４’とを含んでいる。例示された実施例において、安定バー２０’は、一定の間隔がおかれたロケーションでソール１２’に接続する一対の脚部部分２０ａ’、２０ｂ’を含んでいる。そのうえ、例示された実施例において、スプリング２８ａ’、３０ａ’は、安定バー２０’、２４’、さらにまた、カラー１６’及びソール１２’と一体化して形成されている。こういうふうに、シェル１４’は、スプリング２８’、３８ａ’と、安定バー２０’、２４’と、ソール１２’とを備えている組み合わされたユニットに取り付けられている。そのうえ、シェル１４’の踵エリア１４ａ’は、クッショニング要素３２’によってソール１２’の上に吊られている。例示された実施例において、クッショニング要素３２’は、円筒状形状部材を備えている。さらに、クッショニング部材３２に関して前に説明されているように、クッショニング要素３２’は、流体充填コンテナを備えることができ、それは、クッショニング要素３２’の抵抗を調節するために、クッショニング要素３２’における圧力の調節を可能とするバルブを含んでいる。ソール１２’は、以前の実施例に関して例示される足形を、さらにまた、今後の実施例に関して説明される様々な足形を組み込むことができる。
【００４１】
調節可能な安定バーは、使用者が、足の１つの側面、あるいは、両側面に位置される安定バーの使用により、内側側面及び外側側面の両方の横力生成をわずかに変えることを可能とする。安定バーの長さを調節するための使用者の手段は、機械的にゆるめ、そして、バーの長さを調節し、その後、「ビンディング」を再び取り付けることである。
【００４２】
図５Ｆを参照すると、履き物１０″は、前の実施例と類似するソール１２″と、シェル１４″とを含んでいる。さらに、履き物１０″は、前の実施例に類似する一対の安定バー２４″、２０″を含んでいる。前の実施例に設けられているスプリングと対比すると、靴１０″は、カラー１６″からソール１２″に延在する一対の後方ストラット、あるいは、サポート２８″、３０″を含んでいる。スプリングと対比すると、サポート２８″、３０″は、シェルとカラーとに剛性サポートを供給する。スプリングに類似して、サポート２８″、３０″は、ソールにおける反力を靴１０″の着用者の足首の重心と少なくともほぼ一直線である中和横力に転換することによって、足首捻挫、あるいは、損傷のおそれを最小にする横サポートを供給する。再度、前の実施例に関して前に述べられているように、サポート２８″、３０″とバー２０″、２４″とソール１２″とは、シェル１４″がサポートされる単一体、あるいは、単一ユニットとして組み合わされることができる。さらに、任意に、靴１０″は、前の実施例に類似するシェル１４″の踵部分の真下にクッショニング要素を組み込むことができる。
【００４３】
図１４及び図１５を参照すると、靴２１０は、靴１０と類似の構造からなり、そして、ソール２１２と甲部２１４とを含んでいる。例示された実施例において、ソール２１２は、拡大された後部端部２１２ａと拡大された外側部分２１２ｂとを含んでいる。前部部分２１２ｃは、第５のＭｅｔａｔａｒｓａｌ（中足骨）及びＰｒｏｘｉｍａｌ  Ｐｈａｌａｎｘ（基節骨）を延通する横軸２１５のわずかに後方に位置される拡大された外側部分２１２ｂを有する少なくともＰｈａｌａｎｇｅｓ（指骨）領域全体にわたり足の前部部分の形にほぼ従う。こういうふうに、ソール２１２は、ソール１２に類似する回復の拡大された角度を供給し、さらにまた、ソール１１２に類似する第５の中足骨及び基節骨の方向に可能性のある前方回転モーションに対する最適な戻り安定力を供給する。
【００４４】
図１６〜図１８を参照すると、さらに、靴１０に類似する靴３１０は、ソール３１２と、第１の実施例に関して説明されている衝撃防止装置を組み込む甲部３１４とを含んでいる。とはいっても、靴３１０は、前に説明されている、あるいは、先の実施例に関して例示される衝撃防止装置のいずれか１つ、あるいは、組み合わせを組み込むことができるということは理解されるべきである。図１８を参照すると、例示された実施例において、靴３１２は、拡大された後部部分３１２ａを含んでいる。ソール３１２の前部部分３１２ｂは、着用者の足の輪郭にほぼ従う。拡大された後部部分３１２ａは、ソール３１２の最後尾部分３１３から延在し、そして、靴３１０の着用者の足首の重心を横方向に延通する軸３１４において、あるいは、軸３１４の近くで内方に戻る。こういうふうに、ソール３１２は、着用者の足首の重心を通るその最大の回復角度を有している。任意に、点線３１２ａで示されるように、拡大された部分は、ソール３１２から外方に突出し、そして、第５のＭｅｔａｔａｒｓａｌ（中足骨）及びＰｒｏｘｉｍａｌ  Ｐｈａｌａｎｘ（基節骨）を延通する横軸において、あるいは、横軸の近くの前部部分３１２ｂに接続するように延長することができ、それによって、可能性のある前方回転捻挫に対する付加的な横方向安定抵抗を供給する。
【００４５】
図１９を参照すると、靴４１０は、前の実施例に類似するソール４１２と甲部４１４とを含んでいる。とはいえ、ソール４１２は、ソール４１２の後部端部から第５のＭｅｔａｔａｒｓａｌ（中足骨）及びＰｒｏｘｉｍａｌ  Ｐｈａｌａｎｘ（基節骨）を貫通する横軸に延在しているいっぱいに広げた幅広部分４１２ａを含んでいる。
【００４６】
例示された実施例において、甲部４１４は、靴１０のアーチサポート２４に類似するカラー４１６からソール４１２に延在する外側長手方向アーチサポート４２４を含んでいる。とはいえ、例示された実施例において、アーチサポート４１４は、甲部４１４とソール４１２との間に延在し、そして、靴１０の重さを減少するためにどちら側にでも開口４２５ａ、４２５ｂを画定する指状部４２４ａを形成する。
【００４７】
図２０を参照すると、靴５１０は、前の実施例に類似する甲部５１４とソール５１２と、さらにまた、第１の実施例に関して説明されたのと類似する衝撃防止装置とを含んでいる。靴５１０は、靴４１０と類似する構造からなり、ソール５１２は、靴５１０の後部端部５１３から延在し、そして、ソール４１２に類似する第５の中足骨及び基節骨を貫通する横軸に延在する幅広にされた部分を含んでいる。甲部５１４は、カラー５１６と、甲部５１４のシェル５１４ａから外方横方向のソール５１２と連結する外側長手方向アーチサポート５２４とを含んでいる。
【００４８】
図２１を参照すると、靴６１０は、靴１０２類似するソールと、甲部６１４とを含んでいる。靴６１０は、靴１０と類似する衝撃防止装置を有している；とはいえ、外転スプリング６３０及び内転スプリング６２８は、ソール６１２の後部部分６１３のまわりに全体に延在せず、その代わりとして、後部部分６１３の前方で終端している。前の実施例に類似して、とはいえ、内転スプリング６２８及び外転スプリング６３０は、カラー６１６において、あるいは、カラー６１６の近くの甲部６１４まで延在し、そして、甲部６１４に取り付けられ、それによって、実質的に、足首を吊り、さらにまた、着用者の足関節の重心にこれらの力を転換するために、ソール６１２のエッジにおける反力を靴１０の頂部に転換する。
【００４９】
図２２を参照すると、靴７１０は、独立したフレーム７２５を含み、それは、内転スプリング７２８と外転スプリング７３０とを含んでいる。そのうえ、フレーム７２５は、靴７１０の甲部７１４の踵部分７１４ａの下に延在するスターラップ７３２を含んでいる。スプリング７２８、７３０及びスターラップ７３２は、たとえば、固定具によって、いっそう好ましくは、着脱自在の固定具によって甲部７１４に固定し、フレーム７２５の置き換え、あるいは、取り換えを可能とする。さらに、フレーム７２５は、後部ソール部分７１２ａと一直線に並び、そして、後部ソール部分７１２ａを形成するベース７２６を含んでいる。後部ソール部分７１２ａは、靴７１０のソール７１２を形成するために、前部ソール部分７１２ｂと一直線に並んでいる。ベース７２６の後部部分７２６ａは、前の実施例に関して説明されているように、靴７１０の回復の角度を増大するために、拡大されたベース、あるいは、幅広くされたベースを備えることが好ましい。さらに、フレーム７２５は、靴１０に類似する、外側長手方向アーチサポート７２４と内側長手方向アーチサポート７２２とを組み込んでいる。従って、甲部７１４は、フレーム７２５に着脱自在に取り付けられている。こういうふうに、フレーム７２５は、着用者の個々の要求に順応するように、取り外され、そして、所望のように、フレームの代わりに、異なる衝撃防止装置と置き換えられるか、あるいは、取り返られることが可能である。前の実施例に類似して、ソール７１０は、甲部７１４の踵部分７１４ａとベース７２６の後部部分７２６ａとの間に位置決め可能なクッショニング要素を組み込むことができる。
【００５０】
図２３を参照すると、靴８１０は、ソール８１２と甲部８１４とを含んでいる。甲部８１４の後部部分８１４ａは、クッショニング要素８３２によってソール８１２の後部部分８１２ａの上に吊られている。後部部分８１４ａは、下方に延在するウェブ８１４ｂを含み、その下方に延在するウェブ８１４ｂは、甲部８１４とソール８１２とを相互接続し、甲部８１４とソール８１２との間の伸張を限定し、さらにまた、甲部８１４とソール８１２との間に画定されるキャビティ８５０内にクッショニング要素８３２を保持するための手段を供給する。前の実施例に類似して、甲部８１４は、甲部から、好ましくは、カラー８１６からソール８１２に延在するアーチサポート８２２、８２４を含んでいる。着用者の足首への横サポートを供給するほかに、アーチサポート８２２、８２４は、ソール８１２のエッジから甲部８１４の頂部にその力を分配する。アーチサポート８２２、８２４の抵抗は、前の実施例に組み込まれている省略された内転スプリング及び外転スプリングを埋め合わせるために増大されることができる。とはいえ、靴８１０は、なお、外転スプリング及び内転スプリングを組み込むことができるということは理解されるべきである。
【００５１】
図２４を参照すると、靴８１０は、前の実施例に類似する、第５のＭｅｔａｔａｒｓａｌ（中足骨）及びＰｒｏｘｉｍａｌ  Ｐｈａｌａｎｘ（基節骨）における、あるいは、第５のＭｅｔａｔａｒｓａｌ（中足骨）及びＰｒｏｘｉｍａｌ  Ｐｈａｌａｎｘ（基節骨）に近接する足を貫通する横軸と一致するピボットアクセス８１０ａまわりに回転する。球形のクッショニング及びエネルギーストレージ要素として例示されているとはいえ、クッショニングエネルギーストレージ要素８３２は、以下に説明される靴９１０、１０１０に関して開示されるようなどの（しかし、限定されるものではない）他の形状を備えることができる。
【００５２】
図２５を参照すると、靴９１０は、靴８１０に類似するソール９１２と甲部９１４とを含んでいる。例示された実施例において、クッショニング要素９３２は、異なって加圧されることができる一対のチャンバ９３２ａ、９３２ｂを含んでいる。たとえば、上方チャンバ９３２ａは、チャンバ９３２ｂよりも低い圧力で加圧されることができ、そのために、着用者の足によって生成される初期衝撃力が、チャンバ９３２ａを最初に圧縮する。チャンバ９３２ａが、圧縮され、そして、偏向され、そのために、チャンバ９３２ａ内の圧力が、チャンバ９３２ｂ内の圧力と等しくなり、チャンバ９３２ａ、９３２ｂの両方が圧縮される。例示された実施例において、クッショニング要素９３２は、各チャンバが任意に異なる圧力を有する２つ以上のチャンバを組み込むことができる。
【００５３】
とはいえ、図２６及び図２７を参照すると、靴１０１０のクッショニング要素などのクッショニング要素は、キャビティ１０５０内に着脱自在に取り付けられることができ、そのために、靴１０１０は、着用者の要求に合うように特別の注文に応じて作られることが可能である。たとえば、クッショニング要素１０３２は、靴１０１０の後部端部１０１０ａから甲部１０１４とソール１０１２との間に挿入されることができる。
【００５４】
図２８を参照すると、靴１１１０は、靴８１０に類似するソール１１１２と甲部１１１４とを含んでいる。甲部は、カラー１１１６と、甲部１１１４のカラー１１１６からソール１１１２に延在する内側アーチサポートとを含んでいる。例示された実施例において、靴１１１０は、一対のスプリング；すなわち、内転スプリング１１２８と外転スプリング１１３０とを含む衝撃防止装置１１２０を備えている。例示された実施例において、スプリング１１２８、１１３０は、１つの端部に、好ましくは、カラー１１１６において、あるいは、カラー１１１６の近くに固着され、そして、それらの対向する端部においてソール１１１２において移動可能に接続されている。たとえば、スプリング１１２８、１１３０は、ソール１１１２の受容部分１１１２ａ、１１１２ｂとのスリップ接続を含むことができる。こういうふうに、スプリング１１２８、１１３０は、いっそう自由に曲がり、それによって、足の踵から靴１１１０に転換される力のスプリングにおけるクッショニング及びエネルギー回復の最大量を可能とする。任意に、スプリング１１２８、１１３０は、一対の圧縮シリンダに設けられる。前の実施例に関して述べられているように、靴１１１０は、ピボット軸１１１０ａを含み、靴１１１０は、前方モーションが呈されるとき、そのまわりに曲げられる。１つの形態において、スプリング１１２８、１１３０は、好ましくない抑制力を生成することを回避するために、ピボット軸１１１０ａまわりに靴１１１０の回転円弧の進路に沿って一直線に並べられる。
【００５５】
図２９ａを参照すると、靴１１１０’は、圧縮シリンダ１１２０’、１１３０’などの内側サポート外側サポートを組み込む、本発明の履き物の別の実施例を例示している。さらに、履き物１１１０’は、たとえば、靴１０’、４１０における安定バーに類似する一対の安定バー１１２２″、１１２４″を組み込んでいる。例示された実施例において、内側サポート１１２０’、外側サポート１１３０’と、安定サポート１１２２’、１１２４’と、カラー１１１６’とソール１１１２’とは、一対の下方に延在するスターラップ１１１５’、あるいは、サドル１１１７’によってサポートされるシェル１１１４’と１つのユニットとして設けられ、そのスターラップ１１１５’、あるいは、サドル１１１７’は、そのユニットから、たとえば、カラー１１１６’から下方に延在している。前の実施例に類似して、内側サポート１１２０’及び外側サポート１１３０’は、圧縮シリンダを、好ましくは、調節可能な圧縮シリンダを備え、そのために、履き物１１１０’の着用者は、内側サポート１１２０’及び外側サポート１１３０’の抵抗を調節することができる。
【００５６】
本発明の靴は、足の支承レベルを足関節のレベルに高めることによって、足関節の重力の中心を低下する衝撃防止装置を組み込んでいるということは前述のことから理解されるべきである。そのうえ、衝撃防止装置は、回転の所望の平面、すなわち、Ｆｌｅｘｉｏｎ／Ｄｏｒｓｉ  Ｐｌａｎｅ（屈曲／背平面）（踵／トウ）における足関節の制限のない、あるいは、妨げのない動きを可能とする。そのうえ、本発明の靴の様々なソールは、靴の回復の角度を増大し、それゆえ、足首への捻挫のおそれを最小にする。ソールに様々な安定ゾーンを設けることによって、回復の内転／外転角度が、たとえば、最大４５°まで増大されることが可能である。靴の前方回転の回復の角度は、さらに、最適に、最大６０°まで増大される。こういうふうに、着用者の足が広がる必要のある角度（逆転モーメントを生成する前）は、その角度が、靴の着用者に足首捻挫及び損傷をひき起こさすのではなく、倒れさせるほど大きい。さらに、クッショニング要素を有する、リーフスプリングのように作用する内転スプリング及び外転スプリングは、靴の着用者に増大したクッショニングを供給する。特徴のそれぞれが、改良された靴及び足首サポートシステムを供給するために、単独にか、あるいは、他の特徴と組み合わせて使用されることができるということは理解されるべきである。
【００５７】
図３０〜図３５を参照すると、クッショニング要素及び外側／内側サポートのいくつかの別の変形が例示されている。図３０に最もよく見られるように、外側サポート１２２８及び内側サポート１２３０は、靴１２１０のシェル１２１４の外側側面及び内側側面に設けられるトラック１２２８ａ、１２３０ａ内で、あるいは、トラック１２２８ａ、１２３０ａの上でスライドする剛性ブレースを備えている。トラック１２２８ａ，１２３０ａは、シェル１２１４の両側に、成形などによって、固定されるか、あるいは、形成されることができる。こういうふうに、サポート１２２８、１２３０は、横サポートを供給するが、一般に、靴１２１０の踵エリアの鉛直の動きを制限しない。トラックは、ソールに設けられることが可能であり、シェルが、下方に延在する角をなすブレースを組み込んでいるということは理解されるべきである。前の実施例に類似して、サポート１２２８、１２３０は、前に説明されているように、足関節において横サポートを供給し、さらにまた、足関節の重心に反力を転換する。靴１２１０の踵エリアは、さらに、任意に、前の実施例に関して説明されるなどの、シェル１２１４とソール１２１２との間に位置決めされるクッショニング要素１２３２を含んでいる。
【００５８】
さらに、トラック１２２８ａ、１２３０ａは、サポート１２２８、１２３０とシェル１２１４との間の抵抗を増大するために、高い摩擦表面を含むことができ、それによって、そのうえ、多少の鉛直抵抗を供給する。
【００５９】
図３１に最もよく見られるように、靴１３１０は、コイルスプリングクッショニング要素１３３２を組み込んでいる。クッショニング要素１３３２は、チャンバ１３３４内のシェル１３１４の踵エリアより下に位置決めされている。チャンバ１３３４は、クッショニング要素１３３２によって供給される抵抗を増大するために、任意に加圧される。図３１に最もよく見られるように、チャンバ１３３４は、シェル１３１４とソール１３１２との間に画定され、そして、たとえば、圧縮リング、あるいは、ネオプレンガスケットによるなどの、圧縮シール１３３６によってシールされる。クッショニング要素１３３２は、単独でか、あるいは、前の実施例に関して説明されるものに類似する外側サポート、あるいは、内側サポート（図示せず）と組み合わせて使用されることができる。例示された実施例において、シェル１３１４は、サポートが取り付けられることができるアバットメント、あるいは、アンカーを含むことができる。別の方法として、前に述べられているように、外側サポート及び内側サポートは、一体化した衝撃防止装置を供給するために、シェル及び／又はソールに組み込まれることができる。
【００６０】
図３２を参照すると、クッショニング要素１４３２は、リーフスプリング１４３２ａを備えている。リーフスプリング１４３２ａは、シェル１４１４とソール１４１２との間にシェル１４１４の踵エリアより下に位置決めされ、そして、トウエリアの方に向って内方に靴１４１０の後部から延在している。クッショニング要素１４３２は、任意に、組み合わされたスプリング衝撃防止装置を供給するために、前の実施例に関して説明されている外側サポートと内側サポートと組み合わされることができる。
【００６１】
図３３を参照すると、クッショニング要素１５３２は、ショック／スプリング要素を備えている。クッショニング要素は、ショックアブソーバーを形成するために、スリーブ１５３３と、そのスリーブ１５３３へ延在し、そして、Ｏ−リングシールなどによってスリーブ１５３３においてシールされる下方に延在するシャフト１４３４とを含んでいる。シャフト１５３４及びスリーブ１５３３は、ステンレススチール、ダイカストメタル、好ましくは、軽量ダイカストメタルなどで形成されることができる。スリーブ１５３４及びスリーブ１５３３のまわりに延在しているのは、ショックアブソーバーと共に、クッショニング要素１５３２を形成するコイルスプリング１５３５である。任意に、スリーブ１５３３における圧力は、ショックアブソーバーの抵抗を偏向するために調節されることができる。
【００６２】
例示された実施例において、クッショニング要素１５３２は、靴１５１０のソール１５１２と、シェル１５１４の後部端部に設けられるアバットメント１５１３との間に延在している。任意に、クッショニング要素１５３２は、湾曲され、そして、湾曲した範囲のモーションを供給するように構成されることができ、その湾曲した範囲のモーションは、ピボットポイント１５２２まわりの靴１５１０の踵エリアのモーションにほぼ従い、そして、ほぼ平行である。さらに、クッショニング要素１５２は、前の実施例に関して説明される外側サポート及び内側サポートのいずれか１つと組み合わされることができるということは理解されるべきである。
【００６３】
図３４を参照すると、数字１６２８、１６３０は、一般に、本発明の外側サポート及び内側サポートの別の実施例を表わしている。例示された実施例において、各サポート１６２８、１６３０は、クッショニング要素１５３２に類似するショック／スプリング要素を備え、そして、スリーブ１６３３と、そのスリーブ１６３３の方に延在し、かつ、そのスリーブ１６３３においてシールされるシャフト１６３４を含み、加圧ショックアブソーバーを形成する。スリーブ１６３３は、シリンダを形成するために、ガス、あるいは、流体で加圧されることが好ましい。さらに、クッショニング要素１６２８は、シャフト１６３４とスリーブ１６３３のまわりに延在するコイルスプリング１６３５を組み込んでいる。サポート１６２８、１６３０は、シェル１６１４とソール１６１２との間に延在し、そして、シェル１６２４の両側に形成される、あるいは、そうでない場合、シェル１６１４の側面に設けられるアバットメント１６１５でシェルに取り付けられている。
【００６４】
図３５を参照すると、外側サポート１６２８及び内側サポート１６３０は、ソール１６２から内方に角をなしている。こういうふうに、サポート１６２８、１６３０は、靴１６１０の踵エリアに対して横サポート及び鉛直サポートの両方を供給する。こういうふうに、サポート１６２８、１６３０は、クッショニング要素のクッショニング機能と、前の実施例に関して説明されている内側サポート及び外側サポートによって供給される横サポートとの両方を供給する。当業者には理解されるように、サポート１６２８、１６３０の角の方向付けは、ソール１６１２の幅により変更されることができ、その角度は、任意に、ソールの幅が増大するときに減少される。例示された実施例において、サポート１６２８、１６３０は、ソール１６１２に対しておよそ４５°角をなしている。とはいえ、その角度は変更されることができることは明らかである。
【００６５】
図３６を参照すると、数字１７２５は、主として、本発明の外側サポート、あるいは、内側サポートの別の実施例を表わしている。サポート１７２５は、保持ピン１７２８に回転可能に取り付けられる管状部材１７２７を含んでいる。部材１７２７は、耳部１７２７ａを横切って延通するヒンジピン１７２７ｂを有する取り付けタブ、あるいは、耳部１７２７を含んでいる。ピン１７２７ｂは、ブッシュ１７２７ｃによって耳部１７２７ｂにサポートされることができ、耳部１７２７ａにおけるピンの限られた回転を可能とする。部材１７２７は、さらに、ピン１７２８の拡大された端部１７２９が、回転可能に取り付けられ、そして、スリーブ１７２７ｄの端部フランジ１７２７ｅによって捕獲されるねじ付き部分、あるいは、スリーブ１７２７ｄを含んでいる。ピン１７２８は、靴に、たとえば、靴のソールにおいて固定されるベース１７３０を含んでいる。ねじ付き部分１７２７ｄは、ねじ付きカラー１７３２をサポートする。カラー１７３２とベース１７３０との間に位置決めされているのは、スプリング１７３４であり、その圧縮は、ねじ付き部分１７２７ａに沿うカラー１７３２の位置決めによって調節される。こういうふうに、靴の着用者は、単に、ねじ付き部分１７２７ｄまわりにカラー１７３２を回転することによってサポート１７２５の剛性、あるいは、抵抗を調節することができる。ピン１７２７ｂは、靴のシェルに、たとえば、靴のカラーの近くの、あるいは、靴のカラーに取り付けられることが好ましく、それによって、前の実施例のサポートに類似する、ソールから、靴のカラーにおける領域に、あるいは、靴のカラーの近くの領域に力を転換する。
【００６６】
前述のことから、本発明の靴の様々な実施例は、足首捻挫及び損傷のおそれを減少し、さらにまた、膝を含み、使用者の関節への衝撃力の影響を減少する衝撃防止装置を提供するということが明らかである。靴は、鉛直力から横力を分断し、そのために、横力は、足関節重心の高さに、あるいは、足関節重心の高さの近くに転換されることが可能であり、従って、損傷を生じることがある足首における逆転モーメントのおそれを減少するか、あるいは削除すると同時に、その足首がそのモーションの全範囲を維持することを可能とする。さらに、靴は、軽量であり、そして、任意に、異なる体重の使用者、そして、運動及び運動でない両方での幅広い様々な活動に合うように調節可能である。そのうえ、靴のいくつかの調節可能な特徴が、靴の着用者によって手動で作動されるように説明されているとはいえ、様々な調節は、コントロールシステムによって行われることができる。その場合、コントロールシステムは、さらに、様々なコンポーネントを調節する入力として使用するために、たとえば、靴における、特に、衝撃防止装置における応力及びひずみを検出するために、１つ以上のセンサを含んでいる。そのようなコントロールシステムは、たとえば、マイクロコントローラを組み込むことができる。さらに、既に述べられているように、ここに説明されている様々なコンポーネントは、単独で、あるいは、組み合わせて使用されることが可能である。
【００６７】
本発明のいくつかの形態が示され、そして、説明されてきたとはいえ、他の形態が、当業者には明らかであろう。それゆえ、図面に示され、そして、上記に説明されている実施例は、単に、例示のためであり、そして、本発明の範囲を限定することを意図されるものでなく、それは、特許請求の範囲によって限定され、その特許請求の範囲は、均等物論を含む特許法の原則のもとに解釈されるものであるということは理解されるであろう。
【図面の簡単な説明】
【００６８】
【図１】本発明の履き物の平面斜視図である。
【図２】図１の履き物の１つのソールの底平面図である。
【図３】圧縮された状態の履き物のクッショニング要素を例示する図１及び図２の履き物の背面図である。
【図４】通常、圧縮されていない状態のクッショニングの要素を例示する図３の類似図である。
【図５】図１の履き物の外側側面図である。
【図５Ａ】靴のモーションの範囲に関する図１の靴の各スプリングコンポーネントの抵抗を例示するグラフである。
【図５Ｂ】調節可能な安定バーを組み込んでいる本発明の靴の外側側面図である。
【図５Ｃ】図５Ｂの安定バーの拡大断面図である。
【図５Ｄ】安定バーの別の実施例の拡大断面図である。
【図５Ｅ】本発明の履き物の別の実施例の平面斜視図である。
【図５Ｆ】本発明の履き物の別の実施例を例示する図５に類似する図である。
【図６】足関節に印加される補正モーメント力を例示する本発明の履き物のエッジに行使される力の概略図である。
【図７】本発明のソールのエッジで回転する履き物の着用者を例示し、そして、印加された反力によって中和され、そして、足関節まで移動される初期不安定力を例示する図６の類似図である。
【図８】足の反力が、逆転モーメントの生成のため、足を足首の捻挫のおそれにさらすスタンダードな靴のデザインの概略図である。
【図９】スタンダードな履き物デザインの回復角度を例示する概略図である。
【図１０】足の前方図である。
【図１１】足の骨格構造を例示する足の背面図である。
【図１２Ａ】足の外側図である。
【図１２Ｂ】足首の動きを例示する外側図である。
【図１２Ｃ】足の内側図である。
【図１３Ａ】図１に例示される履き物のソールの第２の実施例の平面図である。
【図１３Ｂ】図１の履き物のソールの第３の実施例の平面図である。
【図１４】本発明の履き物の第２の実施例の斜視図である。
【図１５】図１４の靴の底面図である。
【図１６】本発明の履き物の別の実施例の外側側面図である。
【図１７】図１６の靴の内側側面図である。
【図１８】図１７の靴の底面図である。
【図１９】本発明の履き物の別の実施例の斜視図である。
【図２０】本発明の履き物の別の実施例の平面斜視図である。
【図２１】本発明の履き物の別の実施例の外側側面図である。
【図２２】本発明の履き物の別の実施例の側面図である。
【図２３】本発明の履き物の別の実施例の外側側面図である。
【図２４】靴の回転のアクセスのポイントを例示する本発明の履き物の別の実施例の外側側面図である。
【図２５】履き物のヒンジポイントを例示する本発明の履き物の別の実施例の側面図である。
【図２６】図２７の靴の概略図である。
【図２７】本発明の靴の別の実施例の断面図である。
【図２８】本発明の履き物の別の実施例の正面斜視図である。
【図２９】図２８の線ＸＸＩＸ−ＸＸＩＸについての断面図である。
【図２９Ａ】本発明の履き物の別の実施例の平面斜視図である。
【図３０】外側ブレース／内側ブレースの別の実施例を例示する図２９の類似図である。
【図３１】クッショニング要素の別の実施例を例示する図２９に類似する断面図である。
【図３２】クッショニング要素の別の実施例を例示する靴の部分外側図である。
【図３３】クッショニング要素の別の実施例を例示する図３２に類似する図である。
【図３４】外側スプリング／内側スプリングの別の実施例を例示する図３２の類似図である。
【図３５】図３４の靴の前方図である。
【図３６】安定バーの別の実施例の拡大図である。
【図２】
2004528931.tif 000003
【図５Ａ】
2004528931.tif 000004
【図５Ｂ】
2004528931.tif 000005
【図５Ｄ】
2004528931.tif 000006
【図６】
2004528931.tif 000007
【図１０】
2004528931.tif 000008
【図１１】
2004528931.tif 000009
【図１２】
2004528931.tif 000010
【図１３】
2004528931.tif 000011
【図３１】
2004528931.tif 000012
【国際公開パンフレット】
2004528931.tif 000013
2004528931.tif 000014
2004528931.tif 000015
2004528931.tif 000016
2004528931.tif 000017
2004528931.tif 000018
2004528931.tif 000019
2004528931.tif 000020
2004528931.tif 000021
2004528931.tif 000022
2004528931.tif 000023
2004528931.tif 000024
2004528931.tif 000025
2004528931.tif 000026
2004528931.tif 000027
2004528931.tif 000028
2004528931.tif 000029
2004528931.tif 000030
2004528931.tif 000031
2004528931.tif 000032
2004528931.tif 000033
2004528931.tif 000034
2004528931.tif 000035
2004528931.tif 000036
2004528931.tif 000037
2004528931.tif 000038
2004528931.tif 000039
2004528931.tif 000040
2004528931.tif 000041
2004528931.tif 000042
2004528931.tif 000043
2004528931.tif 000044
2004528931.tif 000045
2004528931.tif 000046
2004528931.tif 000047
2004528931.tif 000048
2004528931.tif 000049
2004528931.tif 000050
2004528931.tif 000051
2004528931.tif 000052
2004528931.tif 000053
2004528931.tif 000054
2004528931.tif 000055
2004528931.tif 000056
2004528931.tif 000057
2004528931.tif 000058
2004528931.tif 000059
2004528931.tif 000060
2004528931.tif 000061
2004528931.tif 000062
2004528931.tif 000063
2004528931.tif 000064
2004528931.tif 000065
2004528931.tif 000066
2004528931.tif 000067
2004528931.tif 000068
【国際公開パンフレット（コレクトバージョン）】
2004528931.tif 000069
2004528931.tif 000070
【国際公開パンフレット（コレクトバージョン）】
2004528931.tif 000071
2004528931.tif 000072
【国際調査報告】
2004528931.tif 000073
2004528931.tif 000074
2004528931.tif 000075